(57)【特許請求の範囲】
【請求項１】
電界伝達媒体に電界を誘起して通信を行う電界通信手段に適用する電極板において、
前記電極板は一対の＋側電極板と−側電極板とにより構成され、
前記＋側電極板と前記−側電極板の電極板間に電極板間保持材を備え、
前記電極板間保持材は、空気を含む立体構造を形成し、前記電極板間において弾力性を発揮することを特徴とする電極板。
【請求項２】
前記電極板間保持材は、少なくとも紙と前記空気の組み合わせによる立体構造を形成し、前記電極板間において弾力性を発揮することを特徴とする請求項１に記載の電極板。
【請求項３】
前記紙は前記電極板間において略蛇腹状に形成されて前記電極板間に挟持されていることを特徴とする請求項２に記載の電極板。
【請求項４】
前記比誘電率は１以上４以下であることを特徴とする請求項１〜３のいずれかに記載の電極板。
【発明の詳細な説明】
【技術分野】
【０００１】
本発明は、電界伝達媒体に電界を誘起して通信を行う電界通信手段に適用する電極板に関する。
【背景技術】
【０００２】
従来において、電界を人体などの電界伝達媒体に誘起させて、この誘起した電界を介して様々な情報通信を行う電界通信システムが提案されている。この電界通信システムは送信手段と受信手段あるいはそのいずれか一方を備えた電界通信装置を人間が所持し、他の人間や設備（ＰＣ、駅の改札、自動販売機、ドアや門扉など）に同様の電界通信装置を所持あるいは設置し、目的に応じた情報通信を行っている。この情報通信によりセキュリティ認証や課金、位置などのデータ収集などが可能になっている（特許文献１参照）。
【０００３】
このような電界通信装置を電界通信手段として用いる場合、互いに絶縁され隔離された−側電極と＋側電極の組からなる電極板が電界通信装置に備わる。人体がこの電極に触れることにより、人体内に電界が誘起されて電界伝達媒体となり、電界通信が可能となる。
【特許文献１】特開２００６−８１１１１
【発明の開示】
【発明が解決しようとする課題】
【０００４】
しかしながら上述のような従来の技術においては、電極板間を空間で隔離すると、媒体の歪や温度による伸縮／膨張などにより、電極同士が接触したり電極間の間隔が小さくなり、アンテナ効果（データ送信・受信性能）が小さくなる可能性があった。
【０００５】
また、筐体内に電極を設置する際に、電極の位置を確定するには、筐体内側に貼り付けるなど、固定する必要がある。しかし、筐体内側に電極を固定すると、電池交換など、筐体開閉時に回路基板との間の配線に負荷がかかり、切断してしまう恐れがあった。
【０００６】
また、電極を固定しない場合は、電極間隔が小さくなる、電極同士が接触するなどにより、アンテナ効果（データ送信・受信性能）が、小さくなる可能性があった。
【０００７】
本発明は上記を鑑みてなされたものであり、その目的は、電極板同士が接触することを防止して電極板間隔を一定に保つことにある。
【課題を解決するための手段】
【０００８】
上記の目的を達成するために、請求項１に記載の本発明は、電界伝達媒体に電界を誘起して通信を行う電界通信手段に適用する電極板において、前記電極板は一対の＋側電極板と−側電極板とにより構成され、前記＋側電極板と前記−側電極板の電極板間に電極板間保持材を備え、前記電極板間保持材は、空気を含む立体構造を形成し、前記電極板間において弾力性を発揮する。
【０００９】
また、請求項２に記載の本発明は、請求項１において、前記電極板間保持材は、少なくとも紙と前記空気の組み合わせによる立体構造を形成し、前記電極板間において弾力性を発揮する。
【００１０】
また、請求項３に記載の本発明は、請求項２において、前記紙は前記電極板間において略蛇腹状に形成されて前記電極板間に挟持されている。
【００１１】
また、請求項４に記載の本発明は、請求項１〜３のいずれかにおいて、前記比誘電率は１以上４以下である。
【発明の効果】
【００１２】
本発明によれば、電極板同士が接触することを防止して電極板間隔を一定に保つことができる。
【発明を実施するための最良の形態】
【００１３】
図１は、本発明の電極板の実施の形態を説明するための概観図を示す。この図１には、電界伝達媒体に結合するための＋側電極１と、グランドと結合するための−側電極２と、前記両電極間の隔離を維持するための電極板間保持材３と、＋側電極１と−側電極２のそれぞれに接続されて電界通信を行うための駆動回路４と、電界通信に必要な構成部材を格納するための筐体５と、からなる電界通信手段の構成例が示されている。
【００１４】
筐体５は電気的な絶縁が保たれた略箱型の容器であり、内部に駆動回路４と＋側電極１および−側電極２を収納している。筐体５の大きさは用途により任意に設定されているが、電界通信手段に適用する場合は小型のものが求められる。たとえばクレジットカードサイズと同等の大きさとしてユーザが携帯自在にする必要がある。
【００１５】
このように厚みや面積に制約がある筐体５の内部に電界通信手段を実現するための構成部材を収納するためには、特に、駆動回路４と＋側電極１および−側電極２を筐体５の限られた厚みの範囲内に格納する必要がある。駆動回路４は既存の集積回路技術により必要十分に小型化が可能であり、この技術により実現されている。
【００１６】
一方、電界通信においてグランド（−側）と結合する−側電極２と、人体などの電界伝達媒体に結合する＋側電極１が互いが接触しないように所定の距離Ｌを保ちつつ、筐体５の内面に押し付けられて配置され格納される必要がある。
【００１７】
そこで、−側電極２と＋側電極１との間に電極板間保持材３を配置して電極間の距離を保っている。また、この電極板間保持材３は比誘電率が小さい材質が選択されて用いられている。本実施の形態においては、この電極間保持材３として、電極間に弾力性のある（バネ状）、空気を多く含んだ（比誘電率が小さい）材料を挟み、電極を筐体５の内面に押しつけることで、筐体５の内側に貼り付けることなく電極間隔を一定（最大）に保っている。
【００１８】
この図１に示した電極板間保持材３は、弾力性と低い比誘電率を実現するために、紙を筒状に成型した紙筒として複数を並列に配置している。それぞれの紙の筒内は空洞であり、空気層６を備えている。ここで用いる紙は比誘電率が２．０〜２．６程度であり、空気層６の比誘電率も１．０程度であり、十分に低い比誘電率を実現している。
【００１９】
また、電極板間保持材３に適用した紙筒は自身の弾性変形により−側電極２と＋側電極１の間で柔軟なバネ性を示しつつ両電極間の距離を所定位置に保持している。このようなバネ性により、たとえば筐体５の厚さ方向に寸法上の余裕がない場合において、筐体５内に−側電極２と＋側電極１が格納される際に筐体５の内面と接触して押されても、柔軟に紙筒が変形して両電極間の距離を確保しつつ、両電極を筐体５の内面に弾力性でもって押し付けて良好な格納性を実現している。
【００２０】
次に、図２に示すのは、電極板間保持材３の一つの変形例である。
【００２１】
この図２に示す構成では、＋側電極１と−側電極２の間に配置される電極板間保持材３として、蛇腹状に折畳まれた紙で製作された電極板間保持材７が配置されている。この電極板間保持材７は紙で製作されているので、低い比誘電率であり、＋側電極１と−側電極２の間で弾性変形をすることができる。また蛇腹状に折畳まれ断面が波状にされることにより空気を保持し、この空気のためにより低い比誘電率を実現している。
【００２２】
次に、図３に示すのは、電極板間保持材３の別の変形例である。
【００２３】
この図３に示す構成では、＋側電極１と−側電極２の間に断面が略凸状の電極板間保持材８が配置されている。電極板間保持材８の突起により＋側電極１と−側電極２が隔離されており、突起同士の間の空間は空気である。電極板間保持材８の材質は紙を用いても良いが、例えば他の低い比誘電率をもつゴムなどを用いても良い。ゴムを用いることにより、紙に比してより良好な弾力性を示し、筐体５への格納性と両電極の位置決めを良好に行うことができる。なお、ゴムの場合の比誘電率は約２．０〜３．５程度であり、紙の比誘電率２．０〜２．６と同様の低い比誘電率を実現することができる。
【００２４】
以上説明したように、＋側電極１と−側電極２の間に空気のような低い比誘電率の物質を保持して空間を確保し、さらに弾力性を備え比誘電率も低い紙などを用いることにより、電極間の距離をバネ性でもって押し広げ両極の接触を阻止して保持し、アンテナ効果の低下も阻止することができる。
【図面の簡単な説明】
【００２５】
【図１】本発明の電極板の実施の形態を説明するための概要図を示す。
【図２】本発明の実施の形態の一つの変形例を示す。
【図３】本発明の実施の形態の別の変形例を示す。
【符号の説明】
【００２６】
１…＋側電極
２…−側電極
３、７、８…電極板間保持材
４…駆動回路
５…筐体
６…空気層
【図１】
0004628439.tif 000002
【図２】
0004628439.tif 000003
【図３】
0004628439.tif 000004